(57)【要約】      （修正有）【課題】構造が簡単で摩損が起こりにくいモップ洗浄用脱水桶を提供する。【解決手段】モップ洗浄用脱水桶は、桶体、バスケットおよび駆動機構を備える。駆動機構は、バスケットを駆動するため、桶体内に装着され、底座３１、大歯車３２、ペダル３３、弧状歯車３４、ねじりばね３５、回転軸３６、小歯車３７および単一方向軸受装置３８を有する。弧状歯車３４と傘型歯車３２１とが噛み合うことによって傘型歯車３２１と大歯車３２とを同軸で回転させる。これにより、その駆動方式が直接大歯車３２を回転させる方式よりも小さい力で済む。【選択図】図５
0003155700.tif 000002
【実用新案登録請求の範囲】
【請求項１】
頂面に形成された開口部と、底部の側面が陥没して形成された収容区とを有する桶体と、
収容区の上方に位置するように桶体内に配置されるバスケットと、
バスケットを駆動するため、収容区内に装着される駆動機構と、を備えるモップ洗浄用脱水桶であって、
駆動機構は、
両側に支持部を別々に有し、かつ二つの支持部の上端部に向かい合う軸孔を有し、さらに第一固定孔および第二固定孔を有する底座と、
頂面に連動可能な傘型歯車を有し、かつ固定軸によって第一固定孔に固定される大歯車と、
前端部にシャフトを有し、かつ横向きボルトによって軸孔に入り込み固定され、さらに底面に向かう一側から伸びて形成された固定面を有するペダルと、
傘型歯車と噛み合うように固定面に固定される弧状歯車と、
シャフトに装着され、かつ第一端部が支持部に係止され、第二端部がペダルに係止されるねじりばねと、
底端部が回転可能なように第二固定孔に嵌合され、頂端部が収容区を貫通して桶体内に入り込み、バスケットと接続する回転軸と、
回転軸の中段部に装着され、かつ回転軸と連動せず大歯車と噛み合い、かつ大歯車によって駆動される小歯車と、
回転軸かつ小歯車の底部に装着され、かつ小歯車の単一方向駆動を受けて回転軸とともに連動することによって、回転軸と接続するバスケットを単一方向に回転させる単一方向軸受装置と、を有することを特徴とするモップ洗浄用脱水桶。
【請求項２】
前記桶体は、さらに、取っ手を有することを特徴とする請求項１に記載のモップ洗浄用脱水桶。
【請求項３】
前記第一端部は、逆さのフック装置であることを特徴とする請求項１に記載のモップ洗浄用脱水桶。
【請求項４】
前記駆動機構は、さらに、大歯車の底部に嵌合される係止ユニットを有することを特徴とする請求項１に記載のモップ洗浄用脱水桶。
【請求項５】
前記支持部は、山字型を呈することを特徴とする請求項１に記載のモップ洗浄用脱水桶。
【考案の詳細な説明】
【技術分野】
【０００１】
本考案は、モップ洗浄用脱水桶に関し、詳しく言えば構造が簡単で摩損が起こりにくいモップ洗浄用脱水桶に関するものである。
【背景技術】
【０００２】
モップは、床掃除に用いる洗浄道具の一つである。従来の脱水桶はモップの余分な水分を取り去る補助道具である。従来の脱水桶はモップの毛糸を絞り、毛糸の水分を取り去る。また台湾実用新案第Ｍ３３８６３４号は、桶体、装置部および回転機構を備える。回転機構は装着ユニット、回転軸、伝動ユニットおよびレバーを有する。該案は装着ユニット、回転軸、伝動ユニットおよびレバーとの間の交互作動によって回転機構を回転させることによってモップの脱水を行なう。このよう脱水桶の装着方式の根本的な欠点は次のとおりである。伝動ユニットは一列の歯部、第一歯車、第二歯車、単一方向歯車および弾性ユニットを有する。装置部はローラーおよびレールを有する。実施の際、かつレバーによって一列の歯部を連動させるには、ローラーおよびレールなどの部品を増加させなければならないため、構造が複雑になるだけでなく組立が難しくなる。
【０００３】
ローラーおよびレールが長期にわたって使用されたら、摩損が原因で一列の歯部はレールをスムーズにスライドすることができなくなるため、脱水桶の使用寿命が短縮されてしまう。
【０００４】
該案はローラーおよびレールによって一列の歯部を制御し、横方向に移動させるために、これらの部品を脱水桶内に横方向に配置しなければならない。従って、脱水桶に注入できる水量が制限されてしまうだけでなく、間接的にモップを洗浄する際の清潔度に影響を与えてしまう。
【先行技術文献】
【特許文献】
【０００５】
【特許文献１】台湾実用新案第Ｍ３３８６３４号
【考案の概要】
【考案が解決しようとする課題】
【０００６】
本考案の主な目的は、構造が簡単で摩損が起こりにくいモップ洗浄用脱水桶を提供することである。
【課題を解決するための手段】
【０００７】
上述の目的を達成するために、本考案によるモップ洗浄用脱水桶は、桶体、バスケットおよび駆動機構を備え、駆動機構はバスケットを駆動するため、桶体内に装着される。その特徴は次のとおりである。
【０００８】
駆動機構は、底座、大歯車、ペダル、弧状歯車、ねじりばね、回転軸、小歯車および単一方向軸受装置を有する。
【０００９】
底座は、両側に支持部を別々に有し、かつ二つの支持部の上端部に向かい合う軸孔を有する。底座は第一固定孔および第二固定孔を有する。大歯車は頂面に連動可能な傘型歯車を有し、かつ固定軸によって第一固定孔に固定される。ペダルは、前端部にシャフトを有し、かつ横向きボルトによって軸孔に入り込み、固定される。ペダルは底面に向かう一側から伸びて形成された固定面を有する。弧状歯車は傘型歯車と噛み合うように固定面に固定される。ねじりばねは、シャフトに装着され、かつ第一端部が支持部に係止され、第二端部がペダルに係止される。回転軸は、底端部が回転可能なように第二固定孔に嵌合され、頂端部が収容区を貫通して桶体内に入り込み、バスケットと接続する。小歯車は、回転軸の中段部に装着され、かつ回転軸と連動しない。小歯車は大歯車と噛み合い、かつ大歯車によって駆動される。単一方向軸受装置は、回転軸かつ小歯車の底部に装着され、かつ小歯車の単一方向駆動を受けて回転軸とともに連動することによって、回転軸と接続するバスケットを単一方向に回転させる。
【図面の簡単な説明】
【００１０】
【図１】本考案の一実施形態のモップ洗浄用脱水桶を示す模式図である。
【図２】本考案の一実施形態のモップ洗浄用脱水桶を示す分解図である。
【図３】本考案の一実施形態のモップ洗浄用脱水桶の側面を示す断面図である。
【図３Ａ】本考案の一実施形態のモップ洗浄用脱水桶を示す断面図である。
【図３Ｂ】本考案の一実施形態のモップ洗浄用脱水桶を示す断面図である。
【図４】本考案の一実施形態のモップ洗浄用脱水桶における一部分の部品の作動状態を示す模式図である。
【図５】本考案の一実施形態のモップ洗浄用脱水桶における一部分の部品の作動状態を示す模式図である
【図６】本考案の一実施形態のモップ洗浄用脱水桶が使用された状態を示す模式図である
【考案を実施するための形態】
【００１１】
以下、本考案のモップ洗浄用脱水桶の実施形態を図面に基づいて説明する。
図1に示すように、一実施形態のモップ洗浄用脱水桶１００は、桶体１０、バスケット２０および駆動機構３０を備える。
【００１２】
桶体１０は、上部に形成された開口部１１と、底部に近い側面が陥没して形成された収容区１２と、上部に配置された取っ手１３とを有する。バスケット２０は、収容区１２の上方に位置するように桶体１０内に配置される。駆動機構３０は、バスケット２０を駆動するため、収容区１２内に装着される。
【００１３】
図２から図３Ｂに示すように、駆動機構３０は、底座３１、大歯車３２、ペダル３３、弧状歯車３４、ねじりばね３５、回転軸３６、小歯車３７および単一方向軸受装置３８を有する。
【００１４】
底座３１は、両側に支持部３１１を別々に有し、かつ二つの支持部３１１の上端部に向かい合う軸孔３１２を有する。底座３１は第一固定孔３１３および第二固定孔３１４を有する。支持部３１１は山字型を呈している。
【００１５】
大歯車３２は頂面に連動可能な傘型歯車３２１を有し、かつ固定軸３２２および係止ユニット３２３によって第一固定孔３１３に固定される。
【００１６】
ペダル３３は、前端部にシャフト３３１を有し、かつ横向きボルト３３２によって軸孔３１２に入り込み、固定される。ペダル３３は底面に向かう一側から伸びて形成された固定面３３３を有する。
【００１７】
弧状歯車３４は傘型歯車３２１と噛み合うように固定面３３３に固定される。ねじりばね３５は、シャフト３３１に装着され、かつ第一端部３５１が支持部３１１に係止され、第二端部３５２がペダル３３に係止される。第一端部３５１は逆さのフック装置である。
【００１８】
回転軸３６は、底端部３６１が補助ユニット３６３によって回転可能なように第二固定孔３１４に嵌合され、頂端部３６２が収容区１２を貫通して桶体１０内に入り込み、バスケット２０と接続する。
【００１９】
小歯車３７は、回転軸３６の中段部に装着され、かつ回転軸３６と連動しない。小歯車３７は大歯車３２と噛み合い、かつ大歯車３２によって駆動される。単一方向軸受装置３８は、回転軸３６かつ小歯車３７の底部に装着され、かつ小歯車３７の単一方向駆動を受けて回転軸３６とともに連動することによって、回転軸３６と接続するバスケット２０を単一方向に回転させる。
【００２０】
図４に示すように、使用者が下方のペダル３３を踏み込むと、弧状歯車３４が作動し、かつ弧状歯車３４と噛み合う傘型歯車３２１を連動させ、反時計回りのＲ１方向に回転する。このとき傘型歯車３２１と同軸で連動する大歯車３２は傘型歯車３２１と同一方向に回転する。そののち大歯車３２と噛み合う小歯車３７は大歯車３２によって駆動され、時計回りのＲ２方向に回転する。続いて単一方向軸受装置３８は小歯車３７の駆動を受けて同じ時計回りのＲ２方向に回転し、かつ回転軸３６を同じ時計回りのＲ２方向に回転させる。
【００２１】
図５に示すように、使用者が下方のペダル３３を踏み込むのをやめ、ペダル３３を解放すると、弧状歯車３４がねじりばね３５の張力によって反作用力を生成し、初期の位置に復元すると同時に、弧状歯車３４と噛み合う傘型歯車３２１を同じ方向に回転させる。このとき傘型歯車３２１は時計回りのＲ３方向に回転し、大歯車３２は傘型歯車３２１と同一方向の時計回りに回転する。続いて大歯車３２と噛み合う小歯車３７は大歯車３２によって駆動され、反時計回りのＲ４方向に回転する。このとき小歯車３７は単一方向軸受装置３８を駆動できないため、単一方向軸受装置３８は反時計回りのＲ４方向に回転することなく、回転軸３６に対して空回転を生成する。従って、回転軸３６は依然として慣性によって時計回りのＲ２方向上の回転を持続的に維持する。
【００２２】
それに対し、回転軸３６によって駆動されるバスケット２０は終始一貫して時計回りの同一方向に回転する。図６に示すように、モップ４０がバスケット２０内に置かれる場合、バスケット２０を回転させて生成した遠心力によってモップ４０上の余分な水分を除去することが可能である。
【００２３】
本考案は、使用者が直接足でペダルを踏むことによってペダル３３上の固定面３３３に固定される弧状歯車３４を移動させるものであるため、異なる需要に応じ、弧状歯車３４の長さを調整することによってサイズが異なる脱水桶を設計することが可能である。
【００２４】
本考案は、弧状歯車３４と傘型歯車３２１とが噛み合うことによって傘型歯車３２１と大歯車３２とを回転させる方式を採用する理由は、製造者が弧状歯車３４の歯の弧度を調整することによって弧状歯車３４と傘型歯車３２１との噛み合せをより完璧にすれば使用者が比較的小さい作用力によって同じ回転速度を達成できることである。同時に傘型歯車３２１によって大歯車３２を同軸で回転させる設計は、その駆動方式が直接大歯車３２を回転させる方式よりも小さい力で済むため、使用者がいたずらにペダルを踏んで回転速度を上げることが原因で起こるペダル３３の破損または断裂や脱水桶の使用寿命を短縮するという事態を避けることが可能である。
【００２５】
本考案は、小歯車３７の回転速度を上げるため、大歯車３２によって小歯車３７を回転させる。従って小歯車３７によって単一方向に駆動される単一方向軸受装置３８とともに連動する回転軸３２２の回転速度が速くなる。かつ回転軸３２２の回転速度が高ければ高いほど、回転軸３２２によって駆動されるバスケット２０の回転速度も高くなる。回転速度が高ければ高いほど、遠心力が強くなる。遠心力が強ければ強いほど脱水桶の機能が高くなり、使用者の満足度がより高くなる。
【００２６】
なお、本考案は、上記実施形態に何等限定されるものではなく、その趣旨を逸脱しない範囲において種々なる形態で実施できる。
【符号の説明】
【００２７】
１００：モップ洗浄用脱水桶、  １０：桶体、  １１：開口部、  １２：収容区、  １３：取っ手、  ２０：バスケット、  ３０：駆動機構、  ３１：底座、  ３１１：支持部、  ３３：ペダル、  ３３１：シャフト、  ３３２：横向きボルト、  ３３３：固定面、  ３４：弧状歯車、  ３５：ねじりばね、  ３５１：第一端部、  ３５２：第二端部、  ３６：回転軸、  ３１２：軸孔、  ３１３：第一固定孔、  ３１４：第二固定孔、  ３２：大歯車、  ３２１：傘型歯車、  ３２２：固定軸、  ３２３：係止ユニット、  ３６１：底端部、  ３６２：頂端部、  ３６３：補助ユニット、  ３７：小歯車、  ３８：単一方向軸受装置、  ４０：モップ
【図１】
0003155700.tif 000003
【図２】
0003155700.tif 000004
【図３】
0003155700.tif 000005
【図３Ａ】
0003155700.tif 000006
【図３Ｂ】
0003155700.tif 000007
【図４】
0003155700.tif 000008
【図５】
0003155700.tif 000009
【図６】
0003155700.tif 000010